(57)【特許請求の範囲】
【請求項１】
記録媒体に画像データを記録し、前記記録媒体に記録された画像データを再生して画像表示する画像処理装置において、
前記記録媒体に記録された画像データを再生して画像表示し、該画像が所望のグループに属するよう該画像のリストデータをグループ登録リストに登録するグループ編集工程と、
所望のグループを選択し、該選択したグループに属する画像の画像データを前記グループ登録リストに基づいて前記記録媒体から順次取り出して再生し、画像表示するグループ再生工程と、
前記グループ編集工程が、いずれのグループにも属さない画像を非グループに所属するものとしてそのリストデータを前記グループ登録リストに登録する工程とを含み、
前記グループ再生工程が非グループに所属する画像の画像データを前記グループ登録リストに基づいて順次取り出して再生し、画像表示する工程を含むことを特徴とする画像データのグループ編集／再生方法。
【請求項２】
前記グループ編集工程が、更に、前記グループ再生工程で得た画像の所属グループを変更し、または該画像が非グループに属する場合には所望のグループに属するよう、前記グループ登録リストの該画像分のリストデータを更新して前記グループ登録リストに登録するグループ変更工程と、
前記グループ再生工程で得た画像の所属グループを解除して非グループとして前記グループ登録リストの該画像分のリストデータを更新して前記グループ登録リストに登録するグループ解除工程と
を含むことを特徴とする請求項１記載の画像データのグループ編集／再生方法。
【請求項３】
プログラムされたコンピュータによって、記録媒体に画像データを記録し、前記記録媒体に記録された画像データを再生して画像表示する画像処理装置であって、
モード指定手段と、
前記モード指定手段により指定されたモードを判定するモード判定手段と、
グループ編集モードで、
前記記録媒体に記録された画像データを再生して画像表示する第１の画像再生手段と、
上記画像の所属するグループを選択するグループ化指定手段と、
上記画像が選択されたグループに属するように該画像のリストデータをグループ登録リストに登録するグループ登録手段と、
グループ再生モードで、
所望の再生グループを選択する再生グループ選択手段と、
上記選択したグループに属する画像の画像データを前記グループ登録リストに基づいて前記記録媒体から順次取り出して再生し、画像表示する第２の画像再生手段と、
を有し、
更に、前記グループ化指定手段グループ化再生手段が、いずれのグループにも属さない画像を非グループに所属するものとして選択し、
前記グループ登録手段が非グループに属するものとして選択された画像のリストデータを前記グループ登録リストに登録し、
前記グループ再生モードにおいて、更に、前記再生グループ選択手段が非グループを選択する手段を備えて、
前記第２の画像再生手段が非グループに所属する画像の画像データを前記グループ登録リストに基づいて前記記録媒体から順次取り出して再生し、画像表示することを特徴とする画像処理装置。
【請求項４】
前記グループ編集モードにおいて、更に、前記グループ化指定手段が前記グループ再生モードで得た画像の所属グループを変更し、または該画像が非グループに属する場合には所望のグループに属するようグループ付けをするグループ変更手段と、
前記グループ再生工程で得た画像の所属グループを解除して非グループとするグループ解除手段を含み、前記グループ登録手段が前記グループ変更された画像のリストレコードを更新して前記グループ登録リストに登録するグループ変更登録手段と、
前記グループ解除された画像のリストレコードを更新して前記グループ登録リストに登録するグループ解除登録手段と
を含むことを特徴とする請求項３記載の画像処理装置。
【請求項５】
コンピュータによって、画像処理装置の記録媒体に画像データを記録し、前記記録媒体に記録された画像データを再生して画像表示するためのプログラムを記録した記録媒体であって、
前記記録媒体に記録された画像データを再生して画像表示し、該画像が所望のグループに属するよう該画像のリストデータをグループ登録リストに登録するグループ編集モードと、
所望のグループを選択し、該選択したグループに属する画像の画像データを前記グループ登録リストに基づいて前記記録媒体から順次取り出して再生し、画像表示するグループ再生モードとを有し、
更に、前記グループ編集モードで、いずれのグループにも属さない画像を非グループに所属するものとしてそのリストデータを前記グループ登録リストに登録し、
前記グループ再生モードで、非グループに所属する画像の画像データを前記グループ登録リストに基づいて前記記録媒体から順次取り出して再生し、画像表示すること
を特徴とする画像データのグループ編集／再生プログラムを記録した記録媒体。
【請求項６】
前記グループ編集モードで、更に、前記グループ再生モードで得た画像の所属グループを変更し、または該画像が非グループに属する場合には所望のグループに属するよう、前記グループ登録リストの該画像分のリストデータを更新して前記グループ登録リストに登録するグループ変更プログラムと、前記グループ再生モードで得た画像の所属グループを解除して非グループとして前記グループ登録リストの該画像分のリストデータを更新して前記グループ登録リストに登録するグループ解除プログラムとを含むことを特徴とする請求項５記載の画像データのグループ編集／再生プログラムを記録した記録媒体。
【発明の詳細な説明】
【０００１】
【発明の属する技術分野】
本発明は、画像データの編集／再生方法に関し、特に、デジタルカメラやパーソナルコンピュータ（以下、パソコンと記す）等の画像処理装置における画像データのグループ編集／再生方法およびそれらの方法を用いた画像処理装置に関する。
【０００２】
【従来の技術】
デジタルカメラで撮像された被写体像は、ＣＣＤによる光電変換、信号変換及び信号処理等を経て画像データとして記憶媒体に記録される。この場合、画像データは記録媒体上に撮像した順番に記録されてゆく。
また、デジタルカメラの多くは液晶ディスプレイ等からなる表示装置を備えており、このようなデジタルカメラでは、使用者は撮像の際にそれをファインダー代りに用いることもできるし、また、撮像後に記録媒体から読み出した再生画像を表示することもできる。しかし、このようなデジタルカメラで再生画像を表示する場合には、画像データは撮像した順序で記録媒体から読み出されるので、表示装置の画面上にも撮像順に表示されるのが通常である。
【０００３】
【発明が解決しようとする課題】
しかしながら、使用者の側からは、上記従来のデジタルカメラでは記録されている画像データの中から、特定の画像を取り出して表示し、所望の画像を出力したい場合や、順不同に記録されている数枚の画像データを一定の順序に順序付けて表示し、所望の画像をまとめて出力したい場合や、あるテーマ、例えば、花の画像だけを取り出して表示し、所望の画像を出力したいといった場合にも、常に先頭画像から順に表示させながら所望の画像を選ぶ必要があるので、不便であること、また、最後の画像まで表示しなければ所望の画像を再生できない場合もあることから、記録されている画像データが多い場合には（液晶ディスプレイは電池消耗度が高いので）電池を消耗する点等の問題点が指摘され、このための簡易な手段の開発が要請されていた。
【０００４】
本発明は上記問題点を解消して使用者の要請に応えるべくなされたものであり、記録された画像データを編集してグループ化し、グループ化された画像データをグループ別に選択して再生／表示する、画像データのグループ編集／再生方法および、その方法に基づいて画像データのグループ編集／再生を行なう画像処理装置の提供を目的とする。
【０００５】
【課題を解決するための手段】
上記の目的を達成するために本発明の画像データのグループ編集／再生方法は、記録媒体に画像データを記録し、記録媒体に記録された画像データを再生して画像表示する画像処理装置において、記録媒体に記録された画像データを再生して画像表示し、該画像が所望のグループに属するよう該画像のリストデータをグループ登録リストに登録するグループ編集工程と、所望のグループを選択し、該選択したグループに属する画像の画像データをグループ登録リストに基づいて記録媒体から順次取り出して再生し、画像表示するグループ再生工程とを有し、さらにグループ編集工程が、いずれのグループにも属さない画像を非グループに所属するものとしてそのリストデータを前記グループ登録リストに登録する工程を含み、グループ再生工程が非グループに所属する画像の画像データをグループ登録リストに基づいて順次取り出して再生し、画像表示する工程を含むことを特徴とする。
【０００６】
また、グループ編集工程が、グループ再生工程で得た画像の所属グループを変更し、または該画像が非グループに属する場合には所望のグループに属するよう、グループ登録リストの該画像分のリストデータを更新してグループ登録リストに登録するグループ変更工程と、グループ再生工程で得た画像の所属グループを解除して非グループとしてグループ登録リストの該画像分のリストデータを更新してグループ登録リストに登録するグループ解除工程とを含むようにしてもよい。
【０００７】
また、本発明の画像処理装置は、プログラムされたコンピュータによって、記録媒体に画像データを記録し、記録媒体に記録された画像データを再生して画像表示する画像処理装置であって、モード指定手段と、モード指定手段により指定されたモードを判定するモード判定手段と、グループ編集モードで、グループ分けされた画像のリストデータを登録したグループ登録リストと、記録媒体に記録された画像データを再生して画像表示する第１の画像再生手段と、上記画像の所属するグループを選択するグループ化指定手段と、上記画像が選択されたグループに属するように該画像のリストデータをグループ登録リストに登録するグループ登録手段と、グループ再生モードで、所望の再生グループを選択する再生グループ選択手段と、上記選択したグループに属する画像の画像データをグループ登録リストに基づいて記録媒体から順次取り出して再生し、画像表示する第２の画像再生手段と、を有し、グループ編集モードにおいて、更に、グループ化再生手段が、いずれのグループにも属さない画像を非グループに所属するものとして選択し、グループ登録手段が非グループに属するものとして選択された画像のリストデータをグループ登録リストに登録し、グループ再生モードにおいて、更に、再生グループ選択手段が非グループを選択する手段を有し、第２の画像再生手段が非グループに所属する画像の画像データをグループ登録リストに基づいて記録媒体から順次取り出して再生し、画像表示するよう構成することを特徴とする。
【０００８】
また、グループ編集モードにおいて、グループ化指定手段がグループ再生モードで得た画像の所属グループを変更し、または該画像が非グループに属する場合には所望のグループに属するようグループ付けをするグループ変更手段と、前記グループ再生工程で得た画像の所属グループを解除して非グループとするグループ解除手段を含み、グループ登録手段がグループ変更された画像のリストレコードを更新してグループ登録リストに登録するグループ変更登録手段と、グループ解除された画像のリストレコードを更新してグループ登録リストに登録するグループ解除登録手段とを含むよう構成するようにしてもよい。
【０００９】
【発明の実施の形態】
＜画像処理装置の構成＞
図１は本発明の画像処理装置の構成例を示すブロック図である。
画像処理装置１００は、画像データを記録部５０に与える画像データ入力系１０と、画像処理装置１００全体の動作制御を行なう制御部２０と、ユーザによって操作された指示結果を制御部２０に与える操作部３０と、記録媒体５１に記録されている画像データの再生結果を表示する表示部４０と、画像データ入力系１０からの画像データおよび後述のグループ登録リストを記録媒体５１に記録すると共にそれらの読み出しを行なう記録部５０と、「画像処理装置１００」用の入力インターフェイス８１（後述）と、外部機器に画像処理装置１００による処理結果を出力する出力インターフェイス８２を有している。なお、図１で記号９０はバスラインを示す。
【００１０】
画像データ入力系１０としては、画像処理装置１００全体をデジタルカメラとする場合には図８に示すようなデジタルカメラの光学系１１からＤＲＡＭ１４に至る系が相当し、画像処理装置１００がパソコン等のコンピュータ装置によってプログラム制御される処理装置（以下、「画像処理装置」と記す）の場合には、デジタルカメラ、デジタルカメラ以外の撮像装置、スキャナー等の画像データ変換装置およびメモリーカードやＣＤ−ＲＯＭ等の画像データを記録した記録媒体の読取装置等が相当する。
なお、画像処理装置１００全体をデジタルカメラとする場合には、図１の入力インターフェイス８１は不要である。
【００１１】
また、デジタルカメラからの画像データは後述するようにＪＰＥＧ圧縮されているので「画像処理装置１００」では画像データの伸張部を設けるか画像データ伸張手段をプログラムで構成して後述する各手段と同様にＲＯＭ２３に格納してＣＰＵ２１により実行するように構成することが望ましい。この場合、画像データ入力系１０からの画像データが圧縮データでない場合（例えば、スキャナー出力）には画像データの伸張部或いは伸張手段を機能させないように構成する。なお、画像処理装置１００全体をデジタルカメラとする場合には、データ伸張の際にはデジタルカメラの圧縮データ伸張部（信号処理部（図８））を用いる。
【００１２】
制御部２０はＣＰＵ２１、ＲＡＭ２２、及びＲＯＭ２３を有している。ＣＰＵ２１はＲＯＭ２３に格納されている制御プログラムにより画像処理装置１００全体の制御を行なうと共に、グループ編集／再生手段により画像データのグループ編集とグループ再生／表示および出力を行なう。
【００１３】
ＲＡＭ２２はデータ或いは処理結果の一時記憶および中間作業領域等に用いられる。なお、画像処理装置１００をデジタルカメラとする場合には画像データの作業領域としてＤＲＡＭ１４（図８）を用いることもできる。
【００１４】
ＲＯＭ２３は上述の制御プログラムとグループ編集／再生手段および画像処理装置の各種機能を実行させるためのプログラムを記録する記録媒体であり、ＰＲＯＭ、ＦＲＯＭ（フラッシュＲＯＭ）等が用いられる。なお、これらプログラムをＲＯＭ２３以外のリムーバブルな記録媒体（例えば、記録媒体５１（後述））に格納するように構成することもできる。
【００１５】
操作部３０はモード切換えボタン（キー）、ファンクションボタン（キー）、登録ボタン（キー）等を有し、使用者による選択操作、或いは確認操作により押し下げ等が行なわれると、その結果が電気信号（デジタルコード）変換され、バス９０を介してＣＰＵ２１に入力される。ＣＰＵ２１は受け取った電気信号を基にこれらのボタン（キー）の状態フラグをセットする。
【００１６】
表示部４０はＶＲＡＭ（ビデオラム）およびビデオモニタ（例えば、図８の液晶ディスプレイ４３やパソコンのディスプレイ）からなり、記録媒体５１から読み出された画像データの再生結果をビデオモニタの画面上に表示する。なお、ＶＲＡＭは画像格納用（ＶＲＡＭａ）と表示データ格納用（ＶＲＡＭｂ）の２枚（若しくは２枚以上）を備えることが望ましく（図８参照）、この場合、ＶＲＡＭａには記録媒体５１から読み出された画像データがビットマップイメージで展開され、ＶＲＡＭｂには選択メニューや入力指示メッセージ等の表示データが一時的に格納され、ビデオモニタの画面上に重畳表示される。
【００１７】
記録部５０は記録媒体５１を収容し、ＣＰＵ２１の制御により記録媒体５１上に画像入力１０からの画像データおよび本発明のグループ編集モード下で作成／更新されるグループ登録リスト１３０（図３〜図５）を記録し、また、記録媒体５１から画像データ或いはグループ登録リストを読み出してＲＡＭ２２（或いは、ＤＲＡＭ１４）に転送する。なお、記録部５０によるデータの転送はＤＭＡ（ダイレクトメモリーアクセス方式）によって行なわれるよう構成することが望ましい。
【００１８】
記録媒体５１は画像処理装置１００がデジタルカメラに相当する場合にはフラッシュＲＯＭやメモリーカードが用いられる。
また、「画像処理装置１００」の場合にはＦＤ，磁気ディスク，光ディスク等のリムーバブルな記録媒体が用いられる。この場合、記録装置５０として、ＦＤ装置，磁気ディスク装置，光ディスク装置等が用いられる。
【００１９】
インターフェイス８１は「画像処理装置１００」の場合に、画像データを外部画像データ入力系（１０）から入力するために設けられているが、前述した
ように画像データ入力系１０が内部データ入力系（すなわち、デジタルカメラの光学系１１〜ＤＲＡＭ１４に至る系）である場合には不要である。
【００２０】
＜モード＞
動作モードは画像処理手段１００の有する処理手段（プログラム）によって規定され、操作部３０に設けられた、ボタン、キー、或いはスイッチの操作によって使用者により選択される。
画像処理装置１００は画像データ編集／再生モードとその他のモードを有し、画像データ編集／再生モードは更に画像データのグループ編集モードおよびグループ再生モードに分けられる。これら、動作モードの選択は画像処理装置１００の動作中の任意の時点で行なうことができる。
【００２１】
グループ編集モードでは、記録媒体５１に記録されている画像データのうちグループ登録リスト１３０に登録されていない画像データ（未登録画像）を所望のグループに登録する。また、このモード下で登録済みグループの変更や解除を行なうこともできる。なお、グループ化しない独立画像も非グループとしてグループ登録リスト１３０に登録できる（図３）。
グループ再生モードでは、グループを指定してそのグループに属している画像を表示部４０の画面上に表示できる。
【００２２】
＜画像データ編集／再生手段＞
図２は、本発明の画像データ編集／再生方法に基づく画像データ編集／再生手段の構成例を示すブロック図であり、画像データ編集／再生手段１１０は、モード判定手段１１１と、グループ編集モードとグループ再生モードに共通する登録リスト展開手段１１２および選択画面表示手段１１３と、グループ再生モードを実現する再生グループ選択手段１１４および画像再生／表示手段１１５と、グループ編集モードを実現する画像再生／表示手段１１５’，グループ化指定手段１１６，グループ登録手段１１７および登録リスト記録手段１１８から構成されている。なお、画像データ編集／再生手段１１０は実施例ではプログラムで構成されている。
【００２３】
モード判定手段１１１は、使用者によって選択された画像処理手段１００の動作モードを調べ、それが画像データ編集／再生モードか否かを判定し、画像データ編集／再生モードの場合には更に動作モードがグループ編集モードかグループ再生モードかを判定し、判定結果を保存する。
【００２４】
登録リスト展開手段１１２は、グループ編集モード下でグループ化（或いは、非グループ画像として登録）された各画像の記録媒体５１上での格納位置を登録した登録グループリスト１３０を記録媒体５１から読み出して、ＲＡＭ２２上に展開する。
【００２５】
選択画面表示手段１１３は、表示部４０のＶＲＡＭｂにグループ選択画面データをイメージ展開して画面上にグループ選択画面を表示する。グループ選択画面上にはグループの名称、番号または記号或いはそれらの組合せを表示してグループを区別すると共に、操作案内メッセージおよびグループ指定用カーソルを表示する（図９〜図１２）。なお、グループの区別表示は上述の名称等に限られず、グループを象徴する図形（アイコン等）若しくはそれぞれのグループを代表する画像（縮小画像）を表示するように構成することもできる。
【００２６】
再生グループ選択手段１１４は、使用者が所望のグループを指定したのち特定のボタン（またはキー或いはスイッチ）を操作すると指定されたグループを再生グループとして選択する。
【００２７】
画像再生／表示手段１１５は指定されたグループの画像を記録媒体５１から読み出して再生処理した後、表示部２０のＶＲＡＭａにビットマップ展開して画面上に表示する。この場合、指定されたグループに属する画像をＲＡＭ２２上に展開されているグループ登録リストにより特定し、使用者が特定のボタン（またはキー或いはスイッチ）を操作する毎に、同リストに登録してある同じグループの画像番号（或いは、格納アドレス）を順次取り出して画像格納アドレスを求め、そのアドレスを記録部５０に与えることにより画像の読み出しを行なう。
【００２８】
画像再生／表示手段１１５’はグループ編集モードで未登録画像を表示する。未登録画像としてはグループ登録されていない画像（新たに記録媒体５１に記録された画像（≠非グループ登録画像））を記録媒体５１から読み出して表示する。この場合、ＶＲＡＭｂに「未登録画像」イメージを書込んで画像と重畳表示することが望ましい。グループ登録されていない画像がない場合にはその旨のメッセージを表示する。
【００２９】
グループ化指定手段１１６は、使用者が所望のグループを指定したのち特定のボタン（またはキー或いはスイッチ）を操作すると指定されたグループを表示された画像のグループとして選択する。この場合、グループ化されない画像（独立画像）もまとめて非グループとしてグループ化する。
【００３０】
なお、グループ化指定手段１１６が、更に、グループ変更手段およびグループ解除手段（図示せず）を含むように構成し、グループ変更手段では既にグループ指定されグループに属している画像を他のグループに変更し、グループ解除手段では所属グループを解除して独立画像とすることもできる（この場合は、自動的に非グループに属することとなる（図４））。
【００３１】
グループ登録手段１１７は、グループ化指定手段１１６により未登録画像の所属グループが選択された場合に、そのグループ番号、グループ名称、画像番号（或いは、画像格納アドレス）、画像の画素密度コードをＲＡＭ２２に展開されたグループ登録リスト１３０（図４）に書込む。また、独立画像は非グループコード（図３〜図５の例では’９９’）を書込んで同様に登録する。
なお、グループ登録手段１１７が、更に、グループ変更登録手段およびグループ解除登録手段（図示せず）を含むように構成し、グループ変更登録手段ではグループ化指定手段１１６によりグループ変更が指定された場合に変更後のグループ番号および名称でＲＡＭ２２に展開されているグループ登録リスト１３０の当該画像分のリストレコードを更新する（図４）。同様に、グループ解除登録はグループ化指定手段１１６により手段グループ解除が指定された場合にはＲＡＭ２２に展開されているグループ登録リスト１３０の当該画像分のリストレコードのグループ番号を非グループコードに置換し、名称をクリアする。
【００３２】
登録リスト記録手段１１８は画像データ編集／再生モードが終了或いは中止された（他の動作モードが選択された場合を含む）場合に起動され、ＲＡＭ２２に格納されているグループ登録リスト１３０を昇順にソート（例えば、グループ番号、画像番号の順で昇順に並べ換え）してから（図５）、記録部５０を介して記録媒体５１のグループ登録リスト１３０用の記録領域に記録する。
図３〜図５は本発明に基づくグループ登録リストの構成例を示す図である。
グループ登録リスト１３０は記録媒体５１の所定領域（画像格納領域の前の固定位置が望ましい）に記録されており、画像データ編集／再生モードが指定されると読み出されて、ＲＡＭ２２に図３に示すようなテーブルリストとして展開される。
【００３３】
グループ登録リスト１３０には、記録媒体５１に記録された画像のうちグループ編集モード化でグループ登録処理を受けた画像データの所属グループ番号、グループ名称、画像番号或いは画像レコード格納アドレス、画像のサイズを示す画素密度コードが、それぞれのリストレコード（グループリストを構成する画像と１対１に対応するレコードをいう）のグループ番号格納位置１３１、グループ名称格納位置１３２、画像番号格納位置１３３、密度コード格納位置１３４に格納される。
なお、グループ名称格納位置１３２および密度コード格納位置１３４は省略可能であり、グループ登録リスト１３０をグループ番号格納位置１３１および画像番号格納位置１３３のみで構成することもできる。
【００３４】
図３で、グループ登録リスト１３０には、グループ番号が’１’、グループ名称’Ａ’の画像データのリストレコードが３個、グループ番号が’２’、グループ名称’Ｂ’の画像データのリストレコードが２個、グループ番号が’３’、グループ名称’Ｃ’の画像データのリストレコードが２個、・・、グループ番号が’９９’の独立画像データのリストレコードが２個登録されている。
【００３５】
グループ名称は、番号または記号或いはそれらの組合せで操作部３０からキー入力（或いは、ボタン入力）されるが、番号または記号に限られることなく、グループを象徴する図形（アイコン等）若しくはそれぞれのグループを代表する画像（縮小画像）の格納位置を格納するように構成することもできる。なお、同じグループに属する画像がある場合には、グループ名称はコピーされる。
【００３６】
また、画像番号格納位置１３３には記録媒体５１に記録された画像に画像番号が付けられている場合にはその画像番号を、画像番号が付けられていない場合には画像読み取り時に獲得される画像の先頭アドレス（通常はアドレスレジスタを参照することにより獲得できる）を格納アドレスとして書込む。
【００３７】
なお、本実施の形態ではグループ登録リスト１３０をＲＡＭ２２に展開するように構成したが、ＲＡＭ２２に展開することなく、記録媒体５１に記録されているグループ登録リスト１３０をそのつど参照（検索）するように構成することもできる。この場合は、グループ登録リスト１３０を更新した後に、ＲＡＭ２２に展開してソート（並べ換え）して再度記録するか、グループ番号をキーとする索引ファイルを設けると共に、グループ登録リスト１３０内の各リストレコードを同じグループ毎にポインタ結合して構成し、更新のたびに該当のリストレコードのポインタを書換えるよう構成する。
【００３８】
図４および図５はグループ編集モードによるグループ処理後のグループ登録リストの例であり、図４はグループ編集モードにより図３のグループ登録リスト１３０に追加、更新を加えたグループ登録リストを、図５はその後ソートされた（記録媒体５１に書込む直前の）グループ登録リストの例を示す。
図４では、図１のグループ登録リスト１３０に記録媒体５１に記録された新たな画像データ（画像番号’５７’）がグループ番号’１’としてグループ登録リスト１３０の末尾に登録され、また、非グループ（グループ番号’９９’）であった独立画像（画像番号’５５’）がグループ番号３の’Ｃ’グループに変更登録され、グループ番号’２’のＢグループの画像（画像番号’４’）がグループ登録を解除され、非グループとして登録されている。
【００３９】
また、図５のグループ登録リスト１３０では、図４のグループ番号’４’，’５５’，’５７’のリストレコードが、グループ番号別、画像番号別に昇順にソートされている。図５のグループ登録リスト１３０の各リストレコードはこの順序で記録媒体５１に記録される。
【００４０】
図６は、画像データ編集／再生手段１１０に基づく画像処理装置１００の動作を示すフローチャートであり、ステップＳ６，Ｓ７がグループ再生モード下の動作に相当し、ステップＳ８〜Ｓ１５がグループ編集モード下の動作に相当する。図６のフローチャートについては、以下の実施例においてデジタルカメラ２００の動作として説明する。
【００４１】
＜実施例＞
図７は本発明をデジタルカメラに適用した場合の一実施例の斜視図であり、デジタルカメラ２００の上面には、動作モードを本発明の画像データ編集／再生モードに切換えるモード切換えスイッチ（スライドスイッチ）３１と、グループ編集モードとグループ再生モードを選択するモード選択ボタン３２，３３と、カーソル移動ボタン３４，３５と、表示／登録ボタン（兼シャッタボタン）３６と、主電源ボタン２０１と、デジタルカメラの他の機能を選択するために用いるファンクションボタン２０５が設けられている。
【００４２】
また、背部（図面手前）には、撮像モードと、撮像モードで記録された撮像結果の通常の再生（すなわち、本発明のグループ編集／再生方法によらない画像再生）を行なう再生モードとの切換えを行なう撮像／再生モード切換えスイッチ２１１と、光学ファインダー２１２と、画像表示用の液晶ディスプレイ２１３が設けられている。なお、図示しない前部には撮像用レンズを含む光学系機構が設けられている。
【００４３】
図８は図７のデジタルカメラ２００の回路構成例を示すブロック図である。以下、図１の画像処理装置２００と同じ機能を有する構成部分については同じ記号を用い、詳細な説明は省略する。
【００４４】
モード切換えスイッチ３１，撮像／再生モード切換えスイッチ２１１，モード選択ボタン３２，３３、カーソル移動ボタン３４，３５、および登録ボタン３６（以下、単にスイッチ３１，２１１、ボタン３２，３３、３４，３５、３６と記す）は図１の操作部３０の構成部分に相当する。
【００４５】
光学系１１，信号変換部１２，信号処理部１３，ＤＲＡＭ１４は図１の画像データ入力系１０に相当する。また、ＶＲＡＭ４１はＶＲＡＭａに、ＶＲＡＭ４２はＶＲＡＭｂに相当する。
【００４６】
光学系１１は、撮像レンズおよび絞り等の光学系機構１１を含み、被写体からの光を後段の信号変換部１２のＣＣＤ上に結像させる。
信号変換部１２は、ＣＣＤ，Ａ／Ｄ変換部およびＣＣＤ駆動信号生成回路を含み、前段の光学系１１を介してＣＣＤに結蔵した画像を電気信号に変換すると共にデジタルデータ（以下、画像データ）に変換してＤＲＡＭ（ダイナミックメモリー）１４に一時的に記憶させる。
【００４７】
信号処理部１３は、画像データをＪＰＥＧ方式等の圧縮方式により圧縮し、また、圧縮された画像データに伸張処理を施す。また、信号処理部１３はＤＲＡＭ１４からの画像データ或いはフラッシメモリー５１から読み出した画像データに伸張処理を施した後、ＶＲＡＭ（ビデオＲＡＭ）４１に移してビットマップ展開する。
これにより、液晶ディスプレイ（ＬＣＤ）４３の電源がオン（ＯＮ）であれば、ＶＲＡＭ１４上の画像データが液晶ディスプレイ４３に画像表示される。また、制御部２０を介してＶＲＡＭ４２に書込まれる選択画像フォーマットや各種メニューおよびメッセージを液晶ディスプレイ４３に表示する。さらに、ＶＲＡＭ４１上の画像イメージとＶＲＡＭ４２上のイメージを液晶ディスプレイ４３に重畳表示できる。なお、ＶＲＡＭ４１，ＶＲＡＭ４２，および液晶ディスプレイ４３は表示部４０を構成する。
【００４８】
フラッシュメモリー（画像メモリー）５１は画像データの記録媒体として圧縮された画像データを記録すると共にグループ登録リスト１３０を記録する。
制御部２０は上述の各回路および図示しない電源切換えスイッチ等に接続し、ＲＯＭ２１内に格納された制御プログラムによりデジタルカメラ２００全体の動作を制御する。また、制御部２０はＲＯＭ２１内に格納された画像データ編集／再生手段１１０（図２）を実行して画像データのグループ編集／再生モード制御を行なう。
【００４９】
インターフェイス８２はデジタルカメラ２００と、プリンタやパソコン、その他の画像処理装置、ＣＤーＲＯＭ等の外部機器との間のデータの授受を行なう。フラッシュメモリー５１に記録された画像データの外部機器への送信（出力）は、図示しない画像送信手段（プログラム）に基づいて行なわれるが、この際に、グループ登録リスト１３０に登録されているグループのうち特定のグループに属する画像データを指定して出力するように画像送信手段を構成することができる。また、グループ登録リスト１３０と共に全画像データを出力するように構成することもできる。
【００５０】
＜モードの切換＞
主電源ボタン２０１をオン（ＯＮ）にした後、スイッチ２１１を「撮像」側に切換えるとデジタルカメラ２００は撮像モードとなり、被写体の撮像、表示、記録等、一連の撮像動作を行なうことができる。
また、スイッチ２１１を「再生」側に切換えたとき、スイッチ３１がオフ（ＯＦＦ）であれば、デジタルカメラ２００は通常の再生モードとなり、フラッシュメモリー５１に記録された画像データの再生動作を行なうことができる。
スイッチ２１１を「再生」側に切換ると共に、スイッチ３１をオンにすると、デジタルカメラ２００の動作モードが本発明の画像データ編集／再生モードに切換えられる。ここで、ボタン３２が押し下げられるとグループ編集モードとなり、ボタン３３が押し下げられるとグループ再生モードとなる。
【００５１】
図９，図１０はグループ再生モード時における再生グループ選択の一実施例の説明図であり、図９（ａ），図１０（ａ）はグループ選択画面を示す。
グループ選択画面９０はグループ名称Ａ〜Ｅと＋記号の６個の矩形部分で例示されているグループ選択部９１と、グループ選択部でのグループ選択方法や、画像再生／表示、編集／登録方法を案内する案内メッセージを表示する案内表示部９２からなっており、さらに、グループの選択を行なうためのカーソル（図では矩形枠型のカーソル）９３が表示される。また、図９（ｂ），図１０（ｂ）は選択されたグループに属する画像群の例を示し、図１０（ｃ）は選択され再生／表示された画像の例を示す。
【００５２】
図１１，図１２はグループ編集モードにおけるグループ編集の一実施例の説明図であり、図１１（ａ），図１２（ａ）はグループ選択画面を示す。また、図１１（ｂ），図１１（ｂ）は選択されたグループに属する画像群の例を示す。なお、グループ選択画面は本実施例ではグループ編集モードおよびグループ再生モードでとも同じものを用いているが、別の画面を用いるように構成することもできる。
以下に、グループ編集／再生モード時のデジタルカメラ２００の動作について図２および図６〜図１２を基に説明する。
【００５３】
＜グループ編集／再生モード時の動作＞
図６で、制御プログラムの制御下で制御部２０はスイッチ３１の状態フラグが「オン（ＯＮ）」を意味する場合には画像データ編集／再生手段１１０に制御を移す。画像データ編集／再生手段１１０はモード判定手段１１１によりスイッチ２１１の状態フラグを調べ、それが「再生」を意味するコードの場合にはステップＳ２に移行し、状態フラグが「撮像」を意味する場合或いはスイッチ３１の状態フラグが「オフ（ＯＦＦ）」を意味する場合には他のモード処理に制御を移す（ステップＳ１）。
【００５４】
ステップＳ２で制御部２０は登録リスト展開手段１１２によりフラッシュメモリー５１からグループ登録リスト１３０を読み出してＲＡＭ２２に展開する（図３）。ここで、使用者がボタン３２，３３のいずれか一方を押し下げると押し下げられたボタンの状態フラグは「オン」となる。
ステップＳ３で、制御部２０はスイッチ３１とボタン３２，３３の状態フラグを調べ、スイッチ３１の状態フラグが「オフ」の場合、或いはボタン３２，３３の状態フラグが共に「オフ」或いは「オン」の場合には画像データ編集／再生モードが終了したものとしてステップＳ１５に移行する。
【００５５】
次に、制御部２０は選択画像表示手段１１３により図９〜図１２で示したようなグループ選択画面９０を液晶ディスプレイ４３に表示する（ステップＳ４）。また、制御部２０はモード判定手段１１１によりボタン３２，３３の状態フラグを調べ、ボタン３２の状態フラグが「オン」のとき、グループ再生モードとしてステップＳ６に移行し、ボタン３３の状態フラグが「オン」のとき、グループ編集モードとしてステップＳ８に移行する（ステップＳ５）。
【００５６】
ステップＳ６で、使用者はボタン３４，３５を用いてカーソル９３を移動させてグループＡ〜Ｅと＋（非グループ）のなかから再生したい画像グループを指定する。ここで、ボタン３４を押すと１回押す度にカーソル９３が１グループ分右に移動し、押し続けて右端に達すると次の行の左端から右に移動を開始する。同様に、ボタン３５を押すと１回押す度にカーソル９３が１グループ分左に移動し、押し続けて左端に達すると次の行の右端から左に移動を開始する。
なお、＋記号で表示されている非グループはＡ〜Ｅのいずれのグループにも属さない独立画像を一括してまとめたものである（図３参照）。また、これらグループ表示記号はグループ登録リスト１３０のグループ番号と対応付けられている。
【００５７】
制御部２０は、使用者が所望のグループを指定した後でボタン３６を押すと、再生グループ選択手段１１４はそのグループを再生グループとして選択し、そのグループコードをグループ番号に変換して保持して画像再生／表示手段１１５（ステップＳ７）に制御を移す。
図９の例では、カーソル９３により魚貝類の画像Ａ１〜Ａ３（図９（ｂ））をグループ化したグループＡが指定されている（図９（ａ））。ボタン３６の押し下げによりグループＡの属する画像Ａ１〜Ａ３が再生／表示対象とされる。
また、図１０の例では、カーソル９３が非グループ画像ω１〜ω５（図１０（ｂ））を表わす＋記号が指定されている（図１０（ｂ））。ボタン３６の押し下げにより非グループ画像ω１〜ω５が再生／表示対象とされる。
ステップＳ７で、画像再生／表示手段１１５は上記グループ番号をキーとしてＲＡＭ２２に展開されているグループ登録リスト１３０を参照（検索）し、最初の画像Ａ１を液晶ディスプレイ４３上に再生／表示する。ここで、ボタン３４を押すと同じグループに属する画像Ａ２，Ａ３が順次再生／表示される。また、ボタン３５を押すと同じ画像Ａ１〜Ａ３が逆順に再生／表示される。
ここで、使用者がボタン３２，３３或いはスイッチ３１を押すことにより、その時点で表示されている画像を表示したままでステップＳ９に移行する。
【００５８】
ステップＳ８で、制御部２０は画像再生／表示手段１１５’によりグループ編集モード用の未登録画像を表示する。未登録画像としては新たに記録媒体５１に記録された画像（≠非グループ登録画像）を記録媒体５１から読み出して表示する。グループ登録されていない画像がない場合にはその旨のメッセージを表してステップＳ９に移行する。
【００５９】
ステップＳ９で、制御部２０はモード判定手段１１１により、ボタン３２，３３或いはスイッチ３１の状態フラグを調べ、ボタン３２が「オン」の場合には選択画像表示手段１１３によりグループ選択画面９０を液晶ディスプレイ４３に表示して、ステップＳ３に移行する（グループ再生モードの続行）。また、ボタン３３が「オン」の場合にはグループ変更フラグをオンにしてステップＳ１０に移行する（グループ編集モードの開始）。さらに、スイッチ３１が「オフ」か、ボタン３２，３３が同時に「オン」または「オフ」の場合はステップＳ３に移行する（グループ編集／再生モードの終了）。
【００６０】
ステップＳ１０で制御部２０はグループ化指定手段１１６によりステップＳ７或いはステップＳ８で表示された画像データのグループ化（或いは、非グループ化）を行なう。
この場合、使用者はボタン３４，３５を用いてカーソル９３を移動させてグループＡ〜Ｅと＋（非グループ）のなかからステップＳ７或いはステップＳ８で表示された画像を所属させたいグループを指定する。グループ指定が行なわれるとそのグループに対応のグループ番号が与えられる。ここで、ボタン３４，３５の動作はステップＳ６の場合と同様である。なお、＋記号で表示されている部分を指定すると解除フラグがオンとされる。
【００６１】
ステップＳ１１では、制御手段２０はグループ登録手段１１７で、先ず、グループ変更フラグを調べ、それがオンの場合にはオフにしてからステップＳ１４に移行する。グループ変更フラグがオフの場合には解除フラグを調べそれがオンの場合にはオフにしてからステップＳ１３に移行する。
【００６２】
ステップＳ１２では、ＲＡＭ２２に展開されているグループ登録リスト１３０にの末尾にＤＲＡＭ４１上の再生画像のリストレコード（グループ番号、グループ名称、画像番号、密度コード）を登録（追加）し（図４参照）ステップＳ１に戻る。
【００６３】
ステップＳ１３では、グループ登録手段１１７でＲＡＭ２２に展開されているグループ登録リスト１３０をグループ番号で参照（検索）して、グループを特定し、さらにＶＲＡＭ４１に格納されている画像の画像番号から解除対象の画像のリストレコードを特定し、グループ番号を’９９’に更新して非グループ化し、ステップＳ１に戻る。
【００６４】
（図１２の例では、ステップＳ７で図１１のグループＥの画像Ｅ３を再生／表示し、ステップＳ９でボタンＳ３３が押され（グループ変更）、ステップＳ１０でグループ解除を意味する＋記号が押され、その後ステップＳ１１を経てステップＳ１３で画像番号’４’が非グループの番号’９９’に更新されると共にグループＥのグループ名称が消去される。従って、グループＥから画像Ｅ３が解除され、グループＥとして画像Ｅ１，Ｅ２が残る。）
【００６５】
ステップＳ１４では、グループ登録手段１１７でＲＡＭ２２に展開されているグループ登録リスト１３０をグループ番号で参照（検索）して、グループを特定し、さらにＶＲＡＭ４１に格納されている画像の画像番号から解除対象の画像のリストレコードを特定し、グループ番号およびグループ名称を指定されたグループのグループ番号およびグループ名称で更新して、ステップＳ１に戻る。
【００６６】
（図１１の例では、ステップＳ７で再生／表示された再生画像ω１（グループ番号＝９９）について、ステップＳ９でボタン３３が押され（グループ変更）、ステップＳ１０で変更先グループとして季節行事に相当するグループＥ（グループ番号＝４）が指定されている。ステップＳ１４で再生画像ω１には画像グループＥのグループ番号が与えられ、この後、ステップＳ１１を経てステップＳ１４でボタン３６の押し下げによりＲＡＭ２２のグループ登録リストの非グループの番号’９９’がグループＥのグループ番号’４’に更新されると共にグループＥのグループ名称がコピーされる。）
【００６７】
ステップＳ１５では、制御部２０は登録リスト記録手段１１８によりＲＡＭ２２上のグループ登録リスト１３０をグループ番号、画像番号の順に昇順にソートしてからフラッシュメモリー５１のグループ登録リスト１３０を更新（記録）してステップＳ１に戻る。
【００６８】
以上本発明の一実施例について説明したが、本発明は上記実施例に限定されるものではなく、種々の変形実施が可能であることはいうまでもない。
【００６９】
【発明の効果】
以上説明したように本発明によれば、グループ編集モードでグループ登録リストにグループ付けされた画像のリストレコードを登録するので、グループ再生モードでグループを指定することにより記録媒体に格納された画像レコードの物理的順序と関係なく指定グループに所属する画像データを検索して迅速に記録媒体から取り出すことができる。従って、記録されている画像データの中から特定の画像を取り出して表示したり、所望の画像をまとめて出力したり、順不同に記録されている数枚の画像データを一定の順序に順序付けて表示し、まとめて出力したり、テーマ別に画像を出力したいといった場合にも、グループを選択するだけで簡単に画像データを取り出すことができる。
【００７０】
また、任意の記録位置の画像データを選ぶことができるので、記録されている画像枚数が多くても取り出しおよび表示時間がかからないことから、本発明をデジタルカメラに適用した場合に液晶ディスプレイの表示時間が短くてすみ、電池寿命を延長できる。
【００７１】
また、いずれのグループにも属さない画像を非グループとしてまとめてグループ登録リストに登録することができるので、関連性のない画像のなかから特定の画像を簡単／迅速に選択して表示することができる。更に、グループの変更やグループ登録の解除ができるので利用上の柔軟性が保証される。
【図面の簡単な説明】
【図１】本発明の画像処理装置の構成例を示すブロック図である。
【図２】本発明の画像データ編集／再生方法に基づく画像データ編集／再生手段の構成例を示すブロック図である。
【図３】グループ登録リストの例である。
【図４】更新されたグループ登録リストの例である。
【図５】更新後、ソートされたグループ登録リストの例である。
【図６】画像データ編集／再生手段に基づく画像処理装置の動作を示すフローチャートである。
【図７】本発明をデジタルカメラに適用した場合の一実施例の斜視図である。
【図８】図７のデジタルカメラの回路構成例を示すブロック図である。
【図９】グループ再生モード時における再生グループ選択の一実施例の説明図である。
【図１０】グループ再生モード時における再生グループ選択の一実施例の説明図である。
【図１１】グループ編集モードにおけるグループ編集の一実施例の説明図である。
【図１２】グループ編集モードにおけるグループ編集の一実施例の説明図である。
【符号の説明】
３１  モード切換えスイッチ（モード指定手段）
３２，３３  モード選択ボタン（モード指定手段）
５１  フラッシュメモリー（記録媒体）
１００  画像処理装置
１１０  グループ編集／再生手段（グループ編集／再生プログラム）
１１１  モード指定手段
１１４  再生グループ選択手段
１１５  画像再生／表示手段（第２の再生手段）
１１５’  画像再生／表示手段（第１の再生手段）
１１６  グループ化手段
１１７  グループ登録手段
１３０  グループ登録リスト
１３８  リストデータ
２００  デジタルカメラ（画像処理装置）
２１１  撮像／再生モード切換えスイッチ（モード指定手段）
【図１】
0003767093.tif 000002
【図２】
0003767093.tif 000003
【図３】
0003767093.tif 000004
【図４】
0003767093.tif 000005
【図５】
0003767093.tif 000006
【図６】
0003767093.tif 000007
【図７】
0003767093.tif 000008
【図８】
0003767093.tif 000009
【図９】
0003767093.tif 000010
【図１０】
0003767093.tif 000011
【図１１】
0003767093.tif 000012
【図１２】
0003767093.tif 000013